【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
眼科または耳鼻咽喉科学的ポリマー性デバイス材料であって、以下、
ａ）５０〜９３％の、以下の構造：
【化７】
2013529505.tif 000001
の重合可能なモノマーであって、ここで、
Ａは、ＨまたはＣＨ３であり；
Ｂは、（ＣＨ２）ｍまたは［Ｏ（ＣＨ２）２］ｚであり；
ｍは、２〜６であり；
ｚは、１〜１０であり；
Ｙは、存在しないか、Ｏ、ＳまたはＮＲ’であり、ただし、ＹがＯ、ＳまたはＮＲ’である場合、Ｂは（ＣＨ２）ｍであることを条件とし、；
Ｒ’は、Ｈ、ＣＨ３、Ｃｎ’Ｈ２ｎ’＋１、イソ−ＯＣ３Ｈ７、Ｃ６Ｈ５またはＣＨ２Ｃ６Ｈ５であり；
ｎ’は、１〜１０であり；
ｗは、ｍ＋ｗ≦８という条件で、０〜６であり；および
Ｄは、Ｈ、Ｃｌ、Ｂｒ、Ｃ１〜Ｃ４アルキル、Ｃ１〜Ｃ４アルコキシ、Ｃ６Ｈ５またはＣＨ２Ｃ６Ｈ５である、
重合可能なモノマー；
ｂ）１〜５％の、以下の構造：
【化８】
2013529505.tif 000002
の高分子量、直鎖状ポリエチレングリコール成分であって、ここで、
Ｘ、Ｘ’は、独立に、存在しないか、ＯまたはＮＨであり；
Ｒ、Ｒ’は、独立に、存在しないか、または（ＣＨ２）ｐであり；
ｐは、１〜３であり；
Ｑ、Ｑ’は、独立に、存在しないか、またはＣ（＝Ｏ）ＮＨＣＨ２ＣＨ２Ｏであり；
Ａ’は、ＨまたはＣＨ３であり；
Ｇは、Ｈ、Ｃ１〜Ｃ４アルキル、（ＣＨ２）ｍＮＨ２、（ＣＨ２）ｍＣＯ２ＨまたはＲ’−Ｘ’−Ｑ’−Ｃ（＝Ｏ）Ｃ（＝ＣＨ２）Ａ’であり；および
Ｇが、Ｈ、Ｃ１〜Ｃ４アルキル、（ＣＨ２）ｍＮＨ２または（ＣＨ２）ｍＣＯ２Ｈである場合、ｎは４５〜２２５であり；それ以外では、ｎは５１〜２２５である、
高分子量、直鎖状ポリエチレングリコール成分；ならびに
ｃ）重合可能な架橋剤
を含む、ポリマー性デバイス材料。
【請求項２】
前記構造（Ｉ）のモノマーが、２−エチルフェノキシアクリレート；フェニルアクリレート；ベンジルアクリレート；２−フェニルエチルアクリレート；３−フェニルプロピルアクリレート；４−フェニルブチルアクリレート；４−メチルフェニルアクリレート；４−メチルベンジルアクリレート；２−２−メチルフェニルエチルアクリレート；２−３−メチルフェニルエチルアクリレート；２−４−メチルフェニルエチルアクリレート；２−（４−プロピルフェニル）エチルアクリレート；２−（４−（１−メチルエチル）フェニル）エチルアクリレート；２−（４−メトキシフェニル）エチルアクリレート；２−（４−シクロヘキシルフェニル）エチルアクリレート；２−（２−クロロフェニル）エチルアクリレート；２−（３−クロロフェニル）エチルアクリレート；２−（４−クロロフェニル）エチルアクリレート；２−（４−ブロモフェニル）エチルアクリレート；２−（３−フェニルフェニル）エチルアクリレート；２−（４−フェニルフェニル）エチルアクリレート；２−（４−ベンジルフェニル）エチルアクリレート；２−エチルフェノキシメタクリレート；フェニルメタクリレート；ベンジルメタクリレート；２−フェニルエチルメタクリレート；３−フェニルプロピルメタクリレート；４−フェニルブチルメタクリレート；４−メチルフェニルメタクリレート；４−メチルベンジルメタクリレート；２−２−メチルフェニルエチルメタクリレート；２−３−メチルフェニルエチルメタクリレート；２−４−メチルフェニルエチルメタクリレート；２−（４−プロピルフェニル）エチルメタクリレート；２−（４−（１−メチルエチル）フェニル）エチルメタクリレート；２−（４−メトキシフェニル）エチルメタクリレート；２−（４−シクロヘキシルフェニル）エチルメタクリレート；２−（２−クロロフェニル）エチルメタクリレート；２−（３−クロロフェニル）エチルメタクリレート；２−（４−クロロフェニル）エチルメタクリレート；２−（４−ブロモフェニル）エチルメタクリレート；２−（３−フェニルフェニル）エチルメタクリレート；２−（４−フェニルフェニル）エチルメタクリレート；および２−（４−ベンジルフェニル）エチルメタクリレートからなる群より選択される、請求項１に記載のポリマー性デバイス材料。
【請求項３】
前記構造（Ｉ）のモノマーについて、Ｂは（ＣＨ２）ｍであり、ｍは２〜５であり、Ｙは存在しないかまたはＯであり、ｗは０〜１であり、およびＤはＨである、請求項１に記載のポリマー性デバイス材料。
【請求項４】
前記構造（Ｉ）のモノマーが、２−フェニルエチルアクリレート；４−フェニルブチルアクリレート；５−フェニルペンチルアクリレート；２−ベンジルオキシエチルアクリレート；３−ベンジルオキシプロピルアクリレート；２−フェニルエチルメタクリレート；４−フェニルブチルメタクリレート；５−フェニルペンチルメタクリレート；２−ベンジルオキシエチルメタクリレート；および３−ベンジルオキシプロピルメタクリレートからなる群より選択される、請求項３に記載のポリマー性デバイス材料。
【請求項５】
前記構造（Ｉ）のモノマーの量が、７５〜９０％（ｗ／ｗ）である、請求項１に記載のポリマー性デバイス材料。
【請求項６】
前記構造（ＩＩ）のモノマーについて、
Ｘ、Ｘ’は、独立に、存在しないか、またはＯであり；
Ｒ、Ｒ’は、存在せず；
Ｑ、Ｑ’は、独立に、存在しないか、またはＣ（＝Ｏ）ＮＨＣＨ２ＣＨ２Ｏであり；
Ａ’は、ＨまたはＣＨ３であり；
Ｇは、Ｃ１〜Ｃ４アルキルまたはＲ’−Ｘ’−Ｑ’−Ｃ（＝Ｏ）Ｃ（＝ＣＨ２）Ａ’であり；および
ＧがＣ１〜Ｃ４アルキルの場合、ｎは４５〜１８０であり；それ以外では、ｎは５１〜２２５である、
請求項１に記載のポリマー性デバイス材料。
【請求項７】
前記構造（ＩＩ）のモノマーが、２，０００〜８，０００ダルトンの数平均分子量を有するポリエチレングリコール成分を有する、請求項１に記載のポリマー性デバイス材料。
【請求項８】
前記構造（ＩＩ）のモノマーが、２，０００〜６，０００ダルトンの数平均分子量を有するポリエチレングリコール成分を有する、請求項７に記載のポリマー性デバイス材料。
【請求項９】
前記構造（ＩＩ）のモノマーが、２，５００〜６，０００ダルトンの数平均分子量を有するポリエチレングリコール成分を有する、請求項８に記載のポリマー性デバイス材料。
【請求項１０】
前記構造（ＩＩ）のモノマーの量が、２〜５％（ｗ／ｗ）である、請求項１に記載のポリマー性デバイス材料。
【請求項１１】
前記構造（ＩＩ）のモノマーの量が、２〜４％（ｗ／ｗ）である、請求項１０に記載のポリマー性デバイス材料。
【請求項１２】
前記架橋剤が、エチレングリコールジメタクリレート；ジエチレングリコールジメタクリレート；トリエチレングリコールジメタクリレート；テトラエチレングリコールジメタクリレート；アリルメタクリレート；１，３−プロパンジオールジメタクリレート；２，３−プロパンジオールジメタクリレート；１，６−ヘキサンジオールジメタクリレート；１，４−ブタンジオールジメタクリレート；ｐ＝１〜５０である、ＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２；ｔ＝３〜２０である、ＣＨ２＝Ｃ（ＣＨ３）Ｃ（＝Ｏ）Ｏ（ＣＨ２）ｔＯ−Ｃ（＝Ｏ）Ｃ（ＣＨ３）＝ＣＨ２；およびその対応するアクリレートからなる群より選択される、請求項１に記載のポリマー性デバイス材料。
【請求項１３】
前記架橋剤が、エチレングリコールジメタクリレート；ジエチレングリコールジメタクリレート；トリエチレングリコールジメタクリレート；トリエチレングリコールジアクリレート；１，４−ブタンジオールジアクリレート；およびＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２であって、ここで、ｐは、数平均分子量が約４００、約６００、または約１０００であるようなｐである、ＣＨ２＝Ｃ（ＣＨ３）Ｃ（＝Ｏ）Ｏ−（ＣＨ２ＣＨ２Ｏ）ｐ−Ｃ（＝Ｏ）Ｃ（ＣＨ３）＝ＣＨ２からなる群より選択される、請求項１２に記載のポリマー性デバイス材料。
【請求項１４】
重合可能なＵＶ吸収剤および重合可能な着色料からなる群より選択される構成要素をさらに含む、請求項１に記載のポリマー性デバイス材料。
【請求項１５】
０．１〜５％（ｗ／ｗ）の重合可能なＵＶ吸収剤および０．０１〜０．５％（ｗ／ｗ）の重合可能な着色料を含む、請求項１４に記載のポリマー性デバイス材料。
【請求項１６】
１６〜４５℃の温度範囲にわたって、２．０重量％未満の平衡状態の水分含有量を有する、請求項１に記載のポリマー性デバイス材料。
【請求項１７】
以下の構造：
【化９】
2013529505.tif 000003
のシロキサンモノマーであって、ここで、
Ｒ２は、ＨまたはＣＨ３であり；
Ｔは、存在しないか、Ｏ（ＣＨ２）ｂまたはＯＣＨ２ＣＨ（ＯＨ）ＣＨ２であり；
ｂは、１〜３であり；
Ｊは、（ＣＨ２）ｚであり；および
Ｋ１、Ｋ２、およびＫ３は、独立に、ＣＨ３、Ｃ６Ｈ５またはＯＳｉ（ＣＨ３）３である、
シロキサンモノマーをさらに含む、請求項１に記載のポリマー性デバイス材料。
【請求項１８】
２−ヒドロキシエチルメタクリレートをさらに含む、請求項１に記載のポリマー性デバイス材料。
【請求項１９】
請求項１に記載のポリマー性デバイス材料を含む、眼科または耳鼻咽喉科学的デバイスであって、眼内レンズ；コンタクトレンズ；人工角膜；角膜インレーまたは角膜リング；耳科の鼓室チューブ；および鼻用インプラントからなる群より選択される、眼科または耳鼻咽喉科学的デバイス。
【請求項２０】
眼内レンズである、請求項１９に記載の眼科または耳鼻咽喉科学的デバイス。